(57)【要約】【課題】  保存期限の接近した食材を優先的に消費するよう利用者に促し、食材の最適利用を図る。【解決手段】    食材管理システム１は、保存されている食材とその数量、及び、その保存期限を含む食材管理情報を保持する食材管理情報ＤＢ１１と、食材情報入力部１２に入力された購入食材情報から、利用者が購入した食材の食材管理情報を取得する食材管理情報取得部１３と、食材管理情報取得部１３が取得した食材管理情報を、冷蔵、冷凍、又は常温保存の別である保存形態を判定して、食材の保存形態とともに食材管理情報ＤＢ１１に登録する食材管理情報登録部と、食材管理情報ＤＢ１１から保存期限の接近した食材を抽出し、期限間近食材リストを生成する食材管理部１４を備える。好適には、レシートに表示された画像情報を読み取るスキャナ１９と、画像に埋め込まれた購入食材の保存期限を取り出す復号部２０を備える。【選択図】  図１
2014174791.tif 000002
【特許請求の範囲】
【請求項１】
保存されている食材とその数量、及び、その保存期限を含む食材管理情報を保持する食材管理情報ＤＢと、
食材の購入時に食材販売者から提供される購入食材情報が入力される食材情報入力部と、
利用者が購入した食材の前記食材管理情報を前記購入食材情報から取得する食材管理情報取得部と、
前記食材管理情報取得部が取得した前記食材管理情報を、冷蔵、冷凍、又は常温保存の別である保存形態を判定して、食材の前記保存形態とともに前記食材管理情報ＤＢに登録する食材管理情報登録部と、
前記食材管理情報ＤＢから、前記保存期限の接近した食材を抽出し、前記保存期限の近い食材のリストである期限間近食材リストを生成する食材管理部を備えることを特徴とする食材管理システム。
【請求項２】
食材の購入時のレシートに表示された画像を読み取るスキャナと、
前記スキャナにより読み取られた前記画像を復号化して、前記画像から購入食材の前記保存期限を取り出す復号部を備え、
前記復号化された前記保存期限を含む前記購入食材情報が、前記食材情報入力部に入力されることを特徴とする請求項１に記載の食材管理システム。
【請求項３】
料理毎に、各料理に必要な食材とその食材消費量を保持する料理ＤＢと、
前記料理ＤＢ、及び、前記期限間近食材リストを参照し、前記料理ＤＢに登録されている料理の中から、前記期限間近食材リストの食材を優先的に消費する料理を１以上抽出する料理提示部と、
前記抽出された料理のリストを、利用者端末に表示する表示部を備えることを特徴とする請求項１又は２に記載の食材管理システム。
【請求項４】
前記食材管理部は、
前記料理提示部により抽出された料理のリストの何れの料理を選択すべきかを前記利用者端末に通知するリスト内料理選択要求を前記利用者端末に送信し、
前記リスト内料理選択要求に基づく選択結果を受信すると、当該選択結果に基づき選択された料理で消費する食材とその食材消費量を前記料理ＤＢから参照し、前記食材管理情報ＤＢに登録されている当該食材の数量を、前記消費期限の近いものから順に、当該食材消費量だけ減算する処理を行うことを特徴とする請求項３に記載の食材管理システム。
【請求項５】
前記食材管理部は、
前記料理提示部により抽出された料理のリスト外の料理を選択するリスト外料理選択要求を前記利用者端末から受信可能に構成され、
前記リスト外料理選択要求を受信すると、
前記選択されたリスト外の料理で消費する食材とその食材消費量を前記料理ＤＢから参照し、前記食材管理情報ＤＢに登録されている当該食材の数量を、前記消費期限の近いものから順に、当該食材消費量だけ減算する処理を行うことを特徴とする請求項４に記載の食材管理システム。
【請求項６】
前記料理提示部は、
前記料理ＤＢ、及び、前記期限間近食材リストを参照し、所定の料理抽出条件で、前記料理ＤＢに登録されている料理の中から、前記期限間近食材リストの食材を優先的に消費する料理を抽出し、
前記料理抽出条件が、特定の利用不可食材を含まない料理を抽出する条件、特定の利用推奨食材を含む料理を抽出する条件、及び、特定の利用不可調理器具を用いることなく調理可能な料理を抽出する条件のうち少なくとも何れか１つを含み、
前記利用不可食材、前記利用推奨食材、前記利用不可調理器具のうち少なくとも何れか１つを、前記利用者端末から抽出条件変更要求を受信することで変更可能に構成されていることを特徴とする請求項３〜５の何れか一項に記載の食材管理システム。
【請求項７】
前記食材管理部は、
前記料理提示部により抽出された料理に必要な食材の食材消費量を、前記食材管理情報ＤＢに登録されている前記食材管理情報と比較し、足りない食材がある場合、不足食材とその不足数量を含む不足リストを前記表示部に表示させることを特徴とする請求項３〜６の何れか一項に記載の食材管理システム。
【請求項８】
過去に購入した食材の数量と購入価格、或いは、単位数量当たりの購入価格を保持する食材価格ＤＢを備え、
前記食材管理情報取得部は、利用者が購入した食材の前記食材管理情報とともに、当該食材の購入価格を前記購入食材情報から取得して、当該食材の購入価格を前記食材管理情報登録部が前記食材価格ＤＢに登録し、
前記食材管理部は、
前記料理提示部により抽出された料理の夫々につき、前記不足食材を前記不足数量分購入する場合の購入費用の総額を前記食材価格ＤＢを参照して推定し、前記推定された購入費用の総額を、前記料理提示部により抽出された料理とともに、前記表示部に表示させることを特徴とする請求項７に記載の食材管理システム。
【請求項９】
前記料理提示部により提示された料理が複数有る場合、前記料理提示部により抽出された料理のリストを前記推定された購入費用の総額が安い料理順に並び替えて、前記表示部に表示させることを特徴とする請求項８に記載の食材管理システム。
【請求項１０】
前記料理ＤＢに保持されている料理を組み合わせた献立が登録されている献立ＤＢと、
前記料理提示部により抽出された料理を含む献立のリストを提示する献立提示部と、を備え、
前記表示部は、前記献立提示部により提示された献立のリストを前記利用者端末に表示することを特徴とする請求項３〜９の何れか一項に記載の食材管理システム。
【請求項１１】
前記食材管理部は、
前記献立提示部により抽出された献立のリストの何れの献立を選択すべきかを前記利用者端末に通知するリスト内献立選択要求を前記利用者端末に送信し、
前記リスト内献立選択要求に基づく選択結果を受信すると、当該選択結果に基づき選択された献立に登録された料理の夫々につき、当該料理で消費する食材とその食材消費量を前記料理ＤＢから参照し、前記食材管理情報ＤＢに登録されている当該食材の数量を、前記保存期限の近いものから順に、当該食材消費量だけ減算する処理を行うことを特徴とする請求項１０に記載の食材管理システム。
【請求項１２】
前記食材管理部は、
前記献立提示部により抽出された献立のリスト外の献立を選択するリスト外献立選択要求を前記利用者端末から受信可能に構成され、
前記リスト外献立選択要求を受信すると、
前記選択されたリスト外の献立に登録された料理の夫々につき、当該料理で消費する食材とその食材消費量を前記料理ＤＢから参照し、前記食材管理情報ＤＢに登録されている当該食材の数量を、前記保存期限の近いものから順に、当該食材消費量だけ減算する処理を行うことを特徴とする請求項１１に記載の食材管理システム。
【請求項１３】
前記食材管理部は、
前記食材管理情報ＤＢに登録された食材の前記保存形態を変更する食材移動要求を前記利用者端末から受信可能に構成され、
前記食材移動要求を受信すると、
前記食材移動要求の対象となっている食材の前記保存形態を変更するとともに、その前記保存期限を変更後の前記保存形態に応じて設定し、前記食材管理情報ＤＢに登録する処理を行うことを特徴とする請求項１〜１２の何れか一項に記載の食材管理システム。
【請求項１４】
購入した食材とその価格が印刷されているとともに、購入した食材とその数量、並びに、その保存期限を含む食材管理情報が暗号化された画像が印刷されていることを特徴とするレシート。
【発明の詳細な説明】
【技術分野】
【０００１】
本発明は、食材の消費期限情報に基づいて食材の有効利用を促す食材管理システム、並びに、当該食材管理システムに好適な、食材管理システムが当該消費期限情報を容易に取得可能とするレシートに関する。
【背景技術】
【０００２】
冷蔵庫内に保存された食料品から作ることができる料理や献立を提案する方法として、特許文献１及び２に記載のものがある。
【０００３】
特許文献１には、冷蔵庫に保存する食料品に無線タグを貼り着けておき、無線通信により庫内の食料品の食料品情報を読み取り、食材として必要となる食料品が献立毎に登録されたデータベースを参照して、読み取った食料品情報の食料品を用いて作ることができる献立を判定しユーザに通知するものが記載されている。
【０００４】
特許文献２には、ユーザとの対話により献立を決定する献立決定支援装置であって、献立提案日の設定条件（誕生日や記念日、或いは、その日の天気など）に基づいて献立レシピを検索し提案を行うものが記載されている。
【先行技術文献】
【特許文献】
【０００５】
【特許文献１】特開２００９−２５９０１５号公報
【特許文献２】特開２０１２−３３１９号公報
【発明の概要】
【発明が解決しようとする課題】
【０００６】
しかしながら、冷蔵庫にある食材に基づいた献立決定とその調理、献立を決定し不足食材を購入しての調理といった従来の献立決定・調理方法では、消費期限の近い食材の最適利用ができず、消費期限が切れた食材が庫内に滞留する虞がある。
【０００７】
消費期限が切れた食材を廃棄する場合、経済的、環境的損失が発生する。したがって、料理や献立を提案するにあっては、消費期限が間近に到来する食材を優先的に使用する料理または献立を提示することが好ましい。
【０００８】
これは、常温で保存される食材についても同様であり、保存期限が間近に到来する食材を優先的に使用することが好ましい。
【０００９】
特に、常温で保存される食材については、その保存期間が長いため、いつ食材を購入したか、そしていつ食材を消費したかを忘れてしまう。このため、現時点で残っている食材の数量を把握できていないことにより、既に買い置きがあるにもかかわらず同じ食材を購入したり、既に食材を使い切っているにもかかわらず未だ食材が残っていると思い込み、献立を決定し、料理を始める段になって食材がないことに気付いて慌てたりする場合がある。
【００１０】
さらに、昨今の防災意識の高まりにより、家庭内の食糧備蓄が注目されている。大規模災害に備え、食料品の備蓄を多めに備えておくことが推奨されているが、いざ必要となった時には保存期限が切れていたということにならないように、期限の近いものから適宜消費し、常に新しいものに入れ替えることが肝要である。
【００１１】
さらに、生鮮食料品等を冷凍保存する場合にも注意が必要である。冷凍することにより、その保存期限は延長される。しかしながら、だからといって保存期限が無限に伸びるというわけではなく、冷凍焼けを防ぐために、ある期間内に消費することが望ましい。
【００１２】
本発明は、上記の状況を鑑み、家庭内に保存されている食材の保存期限を考慮して、保存期限の近い食材から優先的に消費するための提案を利用者に行うことができ、食材の最適利用を図ることのできる食材管理システムを提供することをその目的とする。
【００１３】
さらに、本発明は、かかる食材管理システムに好適な、利用者の手を煩わせることなく食材の保存期限を食材管理システムに入力可能とするために、食材購入時の価格に加えてその食材の保存期限の情報が埋め込まれたレシートを提供することをその目的とする。
【課題を解決するための手段】
【００１４】
上記目的を達成するための本発明に係る食材管理システムは、
保存されている食材とその数量、及び、その保存期限を含む食材管理情報を保持する食材管理情報ＤＢと、
食材の購入時に食材販売者から提供される購入食材情報が入力される食材情報入力部と、
利用者が購入した食材の前記食材管理情報を前記購入食材情報から取得する食材管理情報取得部と、
前記食材管理情報取得部が取得した前記食材管理情報を、冷蔵、冷凍、又は常温保存の別である保存形態を判定して、食材の前記保存形態とともに前記食材管理情報ＤＢに登録する食材管理情報登録部と、
前記食材管理情報ＤＢから、前記保存期限の接近した食材を抽出し、前記保存期限の近い食材のリストである期限間近食材リストを生成する食材管理部を備えることを第１の特徴とする。
【００１５】
上記第１の特徴の本発明に係る食品管理システムは、
食材の購入時のレシートに表示された画像を読み取るスキャナと、
前記スキャナにより読み取られた前記画像を復号化して、前記画像から購入食材の前記保存期限を取り出す復号部を備え、
前記復号化された前記保存期限を含む前記購入食材情報が、前記食材情報入力部に入力されることを第２の特徴とする。
【００１６】
上記第１又は第２の特徴の本発明に係る食品管理システムは、
料理毎に、各料理に必要な食材とその食材消費量を保持する料理ＤＢと、
前記料理ＤＢ、及び、前記期限間近食材リストを参照し、前記料理ＤＢに登録されている料理の中から、前記期限間近食材リストの食材を優先的に消費する料理を１以上抽出する料理提示部と、
前記抽出された料理のリストを、利用者端末に表示する表示部を備えることを第３の特徴とする。
【００１７】
上記第３の特徴の本発明に係る食品管理システムは、
前記食材管理部は、
前記料理提示部により抽出された料理のリストの何れの料理を選択すべきかを前記利用者端末に通知するリスト内料理選択要求を前記利用者端末に送信し、
前記リスト内料理選択要求に基づく選択結果を受信すると、当該選択結果に基づき選択された料理で消費する食材とその食材消費量を前記料理ＤＢから参照し、前記食材管理情報ＤＢに登録されている当該食材の数量を、前記消費期限の近いものから順に、当該食材消費量だけ減算する処理を行うことを第４の特徴とする。
【００１８】
上記第４の特徴の本発明に係る食材管理システムは、
前記食材管理部は、
前記料理提示部により抽出された料理のリスト外の料理を選択するリスト外料理選択要求を前記利用者端末から受信可能に構成され、
前記リスト外料理選択要求を受信すると、
前記選択されたリスト外の料理で消費する食材とその食材消費量を前記料理ＤＢから参照し、前記食材管理情報ＤＢに登録されている当該食材の数量を、前記消費期限の近いものから順に、当該食材消費量だけ減算する処理を行うことを第５の特徴とする。
【００１９】
上記第３乃至第５の何れかの特徴の本発明に係る食品管理システムは、
前記料理提示部は、
前記料理ＤＢ、及び、前記期限間近食材リストを参照し、所定の料理抽出条件で、前記料理ＤＢに登録されている料理の中から、前記期限間近食材リストの食材を優先的に消費する料理を抽出し、
前記料理抽出条件が、特定の利用不可食材を含まない料理を抽出する条件、特定の利用推奨食材を含む料理を抽出する条件、及び、特定の利用不可調理器具を用いることなく調理可能な料理を抽出する条件のうち少なくとも何れか１つを含み、
前記利用不可食材、前記利用推奨食材、前記利用不可調理器具のうち少なくとも何れか１つを、前記利用者端末から抽出条件変更要求を受信することで変更可能に構成されていることを第６の特徴とする。
【００２０】
上記第３乃至第６の何れかの特徴の本発明に係る食品管理システムは、
前記食材管理部は、
前記料理提示部により抽出された料理に必要な食材の食材消費量を、前記食材管理情報ＤＢに登録されている前記食材管理情報と比較し、足りない食材がある場合、不足食材とその不足数量を含む不足リストを前記表示部に表示させることを第７の特徴とする。
【００２１】
上記第７の特徴の本発明に係る食品管理システムは、
過去に購入した食材の数量と購入価格、或いは、単位数量当たりの購入価格を保持する食材価格ＤＢを備え、
前記食材管理情報取得部は、利用者が購入した食材の前記食材管理情報とともに、当該食材の購入価格を前記購入食材情報から取得して、当該食材の購入価格を前記食材管理情報登録部が前記食材価格ＤＢに登録し、
前記食材管理部は、
前記料理提示部により抽出された料理の夫々につき、前記不足食材を前記不足数量分購入する場合の購入費用の総額を前記食材価格ＤＢを参照して推定し、前記推定さされた購入費用の総額を、前記料理提示部により抽出された料理とともに、前記表示部に表示させることを第８の特徴とする。
【００２２】
上記第８の特徴の本発明に係る食品管理システムは、
前記料理提示部により提示された料理が複数有る場合、前記料理提示部により抽出された料理のリストを前記推定された購入費用の総額が安い料理順に並び替えて、前記表示部に表示させることを第９の特徴とする。
【００２３】
上記第３乃至第９の何れかの特徴の本発明に係る食品管理システムは、
前記料理ＤＢに保持されている料理を組み合わせた献立が登録されている献立ＤＢと、
前記料理提示部により抽出された料理を含む献立のリストを提示する献立提示部と、を備え、
前記表示部は、前記献立提示部により提示された献立のリストを前記利用者端末に表示することを第１０の特徴とする。
【００２４】
上記第１０の特徴の本発明に係る食品管理システムは、
前記食材管理部は、
前記献立提示部により抽出された献立のリストの何れの献立を選択すべきかを前記利用者端末に通知するリスト内献立選択要求を前記利用者端末に送信し、
前記リスト内献立選択要求に基づく選択結果を受信すると、当該選択結果に基づき選択された献立に登録された料理の夫々につき、当該料理で消費する食材とその食材消費量を前記料理ＤＢから参照し、前記食材管理情報ＤＢに登録されている当該食材の数量を、前記保存期限の近いものから順に、当該食材消費量だけ減算する処理を行うことを第１１の特徴とする。
【００２５】
上記第１１の特徴の本発明に係る食品管理システムは、
前記食材管理部は、
前記献立提示部により抽出された献立のリスト外の献立を選択するリスト外献立選択要求を前記利用者端末から受信可能に構成され、
前記リスト外献立選択要求を受信すると、
前記選択されたリスト外の献立に登録された料理の夫々につき、当該料理で消費する食材とその食材消費量を前記料理ＤＢから参照し、前記食材管理情報ＤＢに登録されている当該食材の数量を、前記保存期限の近いものから順に、当該食材消費量だけ減算する処理を行うことを第１２の特徴とする。
【００２６】
上記第１乃至第１２の何れかの特徴の本発明に係る食品管理システムは、
前記食材管理部は、
前記食材管理情報ＤＢに登録された食材の前記保存形態を変更する食材移動要求を前記利用者端末から受信可能に構成され、
前記食材移動要求を受信すると、
前記食材移動要求の対象となっている食材の前記保存形態を変更するとともに、その前記保存期限を変更後の前記保存形態に応じて設定し、前記食材管理情報ＤＢに登録する処理を行うことを第１３の特徴とする。
【００２７】
また、上記目的を達成するための本発明に係るレシートは、購入した食材とその価格が印刷されているとともに、購入した食材とその数量、並びに、その保存期限を含む食材管理情報が暗号化された画像が印刷されていることを特徴とする。
【発明の効果】
【００２８】
上記特徴の本発明に係る食材管理システムに依れば、食材管理部が、食材管理情報ＤＢに登録されている各食材の保存期限を参照し、保存期限の接近した食材を抽出した期限間近食材リストを生成することで、保存期限の近い食材を利用者に提示して、保存期限の近い食材を優先して消費するよう利用者に促すことができ、これにより、食材の最適利用が図られる。
【００２９】
保存期限の取得方法については、好ましくは、予め食材購入時のレシートに表示された画像を復号化して取り出すことで、利用者が保存期限を入力する手間を省き、保存期限の情報を自動取得する食材管理システムを実現できる。
【００３０】
なお、保存期限の例としては、主として加工食品に付されている、その食品を開封せず正しく保存した場合に味と品質が十分に保てると製造業者が認める期間を意味する「賞味期限」と、生鮮食品に付されている、腐敗、変敗その他の品質の劣化に伴い安全性を欠くこととなるおそれがないと認められる期限を意味する「消費期限」が一般に知られている。
【００３１】
さらに、料理ＤＢを参照し、期限間近食材リストの食材を優先的に消費する料理を抽出する料理提示部を備えた構成とすることにより、利用者は、保存期限が間近の食材を消費するに際して、どのような料理を作ればよいのかを知ることができ、利用者による期限間近食材利用の一助となる。
【００３２】
さらに、献立ＤＢ及び献立提示部を備え、料理提示部により抽出された料理を含む献立のリストを提示する構成とすることにより、利用者は、保存期限が間近の食材を消費するに際して、どのような献立で、どのような料理を作ればよいのかを知ることができ、利用者による期限間近食材利用の一助となる。
【００３３】
このとき、料理または献立を作るに際し、不足する食材を利用者に表示することで、利用者による食材利用を支援できる。
【図面の簡単な説明】
【００３４】
【図１】本発明の一実施形態に係る食材管理システムの一例を示す構成ブロック図
【図２】食材管理情報が埋め込まれた２次元画像が印刷されたレシートの一例
【図３】食材管理情報ＤＢに保持されている食材管理情報の一例
【図４】期限間近食材リストの表示画面の一例
【図５】料理リストの表示画面の一例
【図６】本発明の一実施形態に係る食材管理システムの一例を示す構成ブロック図
【図７】本発明の一実施形態に係る食材管理システムの一例を示す構成ブロック図
【図８】料理リストの表示画面の一例
【発明を実施するための形態】
【００３５】
〈第１実施形態〉
以下に、本発明の一実施形態に係る食材管理システム（以降、適宜「本発明システム１」と称す）につき、図面を参照して説明する。図１は、本発明システム１の構成の一例を示すブロック図である。図１に示すように、本発明システム１は、食材管理情報ＤＢ（データベース）１１、食材情報入力部１２、食材管理情報取得部１３、食材管理情報登録部１４、食材管理部１５、表示部１６、料理ＤＢ（データベース）１７、料理提示部１８、スキャナ１９、及び、復号部２０を備える。
【００３６】
このうち、食材情報入力部１２、食材管理情報取得部１３、食材管理情報登録部１４、食材管理部１５、表示部１６、料理提示部１８、及び、復号部２０の各処理は、コンピュータのハードウェア資源（ＣＰＵや各種記憶装置等）及びソフトウェア資源（ＯＳ、各種ドライバ等）を使用して演算処理が行われ、かかる演算処理の実行が、利用者端末からの要求に応じて、ＣＰＵによりその実行が制御されるプログラムを実行することによりソフトウェア的に実現される。食材管理情報ＤＢ１１、及び、料理ＤＢ１７は、かかるコンピュータ内に設けられた、或いはネットワークを介してアクセスが可能な所定の記憶装置の所定の記憶領域に構築されている。
【００３７】
好適には、本発明システム１は、スマートフォン２１上のウェブアプリとしての利用を想定している。この場合、表示部１６は、スマートフォン２１の液晶ディスプレイであり、スキャナ１９は、スマートフォン２１に内蔵されたカメラである。スマートフォン２１の操作部が、利用者端末に相当する。また、料理ＤＢ１７は、ウェブを介してアクセスが可能に構成されていれば好ましい。この場合、食材管理情報ＤＢ１１、食材情報入力部１２、食材管理情報取得部１３、食材管理情報登録部１４、食材管理部１５、料理提示部１８、及び、復号部２０の夫々は、スマートフォン２１内に構築され、スマートフォン２１のＣＰＵにより制御される。しかしながら、本発明はこの場合に限られず、食材管理情報ＤＢ１１、食材情報入力部１２、食材管理情報取得部１３、食材管理情報登録部１４、食材管理部１５、料理提示部１８、及び、復号部２０のうち少なくとも何れか１つが、ネットワークを介してアクセスが可能なサーバコンピュータ内に構築され、かかるサーバコンピュータのＣＰＵにより制御される場合も考えられる。
【００３８】
食材管理情報ＤＢ１１は、保存されている食材とその数量、及び、その保存期限を含む食材管理情報を保持している。
【００３９】
食材情報入力部１２には、食材の購入時に食材販売者から提供される購入食材情報が入力される。購入食材情報は、上記食材管理情報のほか、食材の購入価格を含むことができる。購入食材情報は、オンラインショッピングで購入したものであれば、その際の購入履歴から取得できる。或いは、スキャナ１９が購入時のレシートをスキャンして、購入食材とその価格、及びその保存期限を読み取る。レシートには、購入食材とその価格、及び、食材の保存期限の情報が画像情報（例えば、バーコードや、ＱＲコード（（株）デンソーウェーブの登録商標））の形で埋め込まれており、かかる画像の復号化により、食材の保存期限を取得することができる。これにより、購入食材情報を取得することができる。復号部２０が、スキャナ１９により読み取られた画像を復号化し、食材の保存期限を含む購入食材情報を取り出す。
【００４０】
なお、オンラインショッピングで購入した場合や、レシートに画像が埋め込まれていない場合には、オンラインショッピングの購入履歴に基づき、或いは、スキャナ１９を介して文字認識によりレシートに印字されている購入食材名と購入時刻を読み取り、購入食材に応じた保存期限を設定し、食材情報入力部１２への入力とすることができる。また、食材の購入時において、スマートフォン２１が店舗用レジスターと無線通信を行い、レジスターから直接、購入食材情報を取得する構成としてもよい。なお、レジスターは、購入食材の包装に付加されているバーコードから食材の保存期限を読み出すか、或いは、購入食材の包装に付加されているバーコードからその食材情報を読み出し、食材情報に基づきその保存期限が登録されているデータベースにアクセスすることで、食材の保存期限を取得することができる。
【００４１】
食材管理情報取得部１３は、食材情報入力部１２に入力された購入食材情報から、食材管理情報を取り出し、取得する。
【００４２】
食材管理情報登録部１４は、食材管理情報取得部１３が取得した食材管理情報を、冷蔵、冷凍、又は常温保存の別（保存形態）を判定して、かかる保存形態とともに食材管理情報ＤＢ１１に登録する。
【００４３】
食材管理部１５は、食材管理情報ＤＢ１１から、保存期限の接近した食材を抽出し、保存期限の近い食材のリストである期限間近食材リストを生成し、利用者端末に表示する。
【００４４】
料理ＤＢ１７は、各料理に必要な食材とその食材消費量を保持している。
【００４５】
料理提示部１８は、料理ＤＢ１７、及び、期限間近食材リストを参照し、料理ＤＢ１７に登録されている料理の中から、期限間近食材リストの食材を優先的に消費する料理を１以上抽出する。かかる抽出された料理のリストが、表示部１６により利用者端末に表示される。
【００４６】
以下に、本発明システム１の処理動作の一例について、図面を参照して詳細に説明する。
【００４７】
利用者が食材を購入すると、利用者は、その購入時のレシートをスキャナ１９にかざし、購入食材情報を読み取らせる。図２にレシートの一例を示す。レシートには、卵１パック１９８円、鶏モモ肉４００ｇ５００円、ツナ缶８０ｇ４個といった購入食材とその価格が印刷されているほか、画像３０が印刷されている。画像３０には、購入食材とその価格、及びその保存期限等の情報（購入食材情報）が埋め込まれている。
【００４８】
復号部２０は、スキャナ１９により読み取られた２次元画像３０から、購入食材情報を復号化して取り出し、食材情報入力部１２への入力とする。
【００４９】
食材管理情報取得部１３は、かかる復号化された購入食材情報を、食材情報入力部１２を介して受け取り、購入食材情報のうち食材とその数量、及びその保存期限を含む食材管理情報を取り出す。
【００５０】
食材管理情報登録部１４は、食材管理情報取得部１３が取得した食材管理情報を、食材管理情報ＤＢ１１に登録する。このとき、食材管理情報に基づき、冷蔵、冷凍、又は常温保存の別をその食材名から判断し、食材管理情報と併せて、食材の保存形態を食材管理情報ＤＢ１１に登録する。例えば、ジャガイモや玉ねぎといった野菜、或いは缶詰であれば常温保存、生魚や肉類のような生鮮食料品であれば冷蔵保存、アイスクリームや冷凍食品の場合冷凍保存に設定し、食材管理情報ＤＢ１１に登録する。
【００５１】
なお、食材管理情報に食材の保存期限の情報が含まれていない場合（例えば、画像３０に食材の保存期限の情報が欠けている場合）には、食材管理情報登録部１４は、その食材に応じて保存期限を自動設定し、食材管理情報ＤＢ１１に登録する。例えば、ジャガイモや玉ねぎといった野菜の場合購入日から２週間、缶詰であれば購入日から６ヶ月、魚や肉類であれば購入日から４日程度に設定する。
【００５２】
図３に食材管理情報ＤＢ１１に保持されている食材管理情報の例を示す。食材名とその数量、保存期限、及び、保存形態が、食材毎に示されている。また、食材管理情報は、食材が開封済みであるか否かを表すフラグを含んでいる。
【００５３】
食材管理部１５は、利用者からの期限間近食材リスト生成要求を受け付けると、食材管理情報ＤＢ１１を参照して、保存期限が接近した（例えば、後２日で保存期限が到来する）食材のリスト（期限間近食材リスト）を生成する。ここで、保存期限が接近していると判定する期間を、保存状態に応じて異ならせてもよい。例えば、冷蔵保存されている食材については、後２日で保存期限が到来する場合に、保存期限が接近していると判定するが、常温で保存されている食材については、１週間以内に保存期限が到来する場合に、保存期限が接近していると判定し、冷凍保存されている食材については、５日以内に保存期限が到来する場合に、保存期限が接近していると判定してもよい。表示部１６が、期限間近食材リストを利用者端末に表示させる。図４に表示部１６に表示された期限間近食材リストの一例を示す。図４では、食材とその保存期限とともに、その数量と保存形態を併せて表示させている。
【００５４】
このように、期限間近食材リストを利用者端末２１に表示することで、利用者に期限間近食材リスト中にある食材を優先して消費するように利用者に促す。
【００５５】
料理提示部１８は、利用者からの料理提示要求を受け付けると、料理ＤＢ１７に登録されている料理の中から、期限間近食材リストの食材を優先的に消費することのできる１以上の料理を抽出するように構成されている。かかる抽出された料理のリストが、表示部１６を介して利用者端末に表示されることで、利用者は、保存期限が間近の食材を消費するに際して、どのような料理を作ればよいのかを知ることができる。
【００５６】
図４において、利用者が食材部分をクリックすると、料理提示要求が料理提示部１８に送信され、料理提示部１８が、かかる食材を用いる料理を抽出し、リストして表示部１６に表示させる。図５に表示部１６に表示される料理リストの一例を示す。料理リストに挙げられている各料理をクリックすると、その料理を作るのに必要な食材とその数量、及び料理のレシピが表示されるようになっている。あるいは、料理提示部１８が、期限間近食材リストの食材を、保存期限が近いものから順に１〜３つ程度自動選択し、かかる自動選択された食材を用いる料理のリストを表示部１６に表示させるものとしてもよい。
【００５７】
このとき、料理提示部１８は、所定の料理抽出条件を設定して、料理の抽出を行うことができる。例えば、特定の利用不可食材に対してアレルギー症状を持つ人に料理を提供する場合に、かかる利用不可食材を含まない料理を抽出する必要がある。或いは、特定の疾病をもつ人に料理を提供する場合には、疾病を悪化させる利用不可食材を含まず、且つ、疾病の進行を妨げる又は症状を緩和する効果のある特定の利用推奨食材を含む料理を探したいという要請がある。また、利用推奨食材として、今が旬の食材を用いた料理を探したいという要請もある。
【００５８】
また、家庭によっては、特定の調理器具が無いため抽出された料理を作れないということがあるため、利用不可調理器具を用いることなく調理可能な料理を抽出する必要がある。例えば、オーブンがない家庭ではオーブン調理が必要な料理は除外する必要がある。或いは、魚焼き用のグリルのないガスコンロの場合、焼き魚料理は除外する必要がある。
【００５９】
料理提示部１８は、これらの場合において、料理を抽出する際の抽出条件を、利用者端末から抽出条件変更要求を受信することで変更可能に構成されている。
【００６０】
このとき、食材管理部１５は、不足リスト表示要求を利用者から受け付けると、料理提示部１８により抽出された各料理に必要な食材の食材消費量を、食材管理情報ＤＢ１１に登録されている食材管理情報と比較し、足りない食材がある場合、不足食材とその不足数量を含む不足リストを表示部１６に表示させる。なお、食材管理部１５には、何人分の料理を作るのかを予め入力しておく。
【００６１】
例として、図５において、料理提示部１８により抽出された料理「鶏と大根の煮物」について興味を持った場合、料理「鶏と大根の煮物」について不足リスト表示要求が利用者により送信される。食材管理部１５は、不足リスト表示要求を受信すると、図３の食材管理情報には大根が存在しないので、大根を不足リストに加えて、表示部１６に表示させる。このようにして、利用者は、料理を作るに際して、足りない食材を知ることができる。
【００６２】
その後、利用者が足りない食材を購入すると、利用者は、再びその購入時のレシートをスキャナ１９にかざし、購入食材情報を読み取らせる。食材管理情報取得部１３が、購入食材情報から食材管理情報を取り出し、食材管理情報登録部１４が、食材管理情報を食材管理情報ＤＢ１１に追加登録する。
【００６３】
食材管理部１５は、リスト内料理選択要求を利用者端末２１に送信し、前記料理提示部１８により抽出された料理のリストから、何れの料理を選択すべきかを利用者端末に通知し、利用者に選択を促す。そして、利用者端末から選択結果を受信すると、かかる選択結果に基づき、選択された料理で消費する食材とその食材消費量を料理ＤＢ１７から参照し、食材管理情報ＤＢ１１に登録されている当該食材の数量を、保存期限の近いものから順に、当該食材消費量だけ減算する処理を行う。
【００６４】
一方、利用者は、料理提示部１８により抽出された料理のリストに挙げられていない料理を料理ＤＢ１７から参照し、選択することもできる。その場合、食材管理部１５は、リスト外料理選択要求を利用者端末から受信し、利用者により選択された料理で消費する食材とその食材消費量を料理ＤＢ１７から参照し、食材管理情報ＤＢ１１に登録されている当該食材の数量を、保存期限の近いものから順に、当該食材消費量だけ減算する処理を行う。
【００６５】
この減算処理にあっては、保存状態、開封の有無について、食材管理情報ＤＢ１１の登録情報を適宜変更し、これに伴って食材の保存期限を変更する。例えば、玉ねぎを１／２個消費した場合、残りの１／２個は冷蔵保存の必要があるため、保存状態を常温保存から冷蔵保存に変更するとともに、保存期限を再設定する。また一般に食材に表示されている消費期限または賞味期限は未開封の状態での期限であり、開封後は元の消費期限または賞味期限にかかわらず短期間で消費しなければならない。このため、開封後に全ての食材を使い切らない場合には、食材の管理情報を開封有に変更し、併せてその保存期限を再設定する必要がある。
【００６６】
また、利用者が冷蔵保存されていた食材を小分けして冷凍庫に移し変えたり、冷凍保存されていた食材を冷蔵に戻したりすることがある。この場合、食材管理部１５は、食材移動要求を利用者端末から受信し、当該食材移動要求の対象となっている食材の保存形態を変更するとともに、その保存期限を変更後の保存形態に応じて設定し、食材管理情報ＤＢ１１に登録する。
【００６７】
以上、本発明システム１に依れば、家庭内に保存されている食材の保存期限を考慮して、保存期限の近い食材のリストを生成し、また、保存期限の近い食材から優先的に消費する料理を利用者に提示することで、食材の最適利用を図ることができる。
【００６８】
〈第２実施形態〉
以下に、本発明の一実施形態に係る食材管理システム（以降、適宜「本発明システム２」と称す）につき、図面を参照して説明する。図６は、本発明システム２の構成の一例を示すブロック図である。図６に示すように、本発明システム２は、図１に示す本発明システム１に対し、さらに献立ＤＢ（データベース）２２、及び献立提示部２３を備えた構成である。ここで、献立提示部２３の各処理は、コンピュータのハードウェア資源（ＣＰＵや各種記憶装置等）及びソフトウェア資源（ＯＳ、各種ドライバ等）を使用して演算処理が行われ、かかる演算処理の実行が、利用者端末（例えば、スマートフォンの操作画面）からの要求に応じて、ＣＰＵによりその実行が制御されるプログラムを実行することによりソフトウェア的に実現される。献立ＤＢ１７は、かかるコンピュータ内に設けられた、或いはネットワークを介してアクセスが可能な所定の記憶装置の所定の記憶領域に構築されている。
【００６９】
献立ＤＢ２２には、料理ＤＢ１７に保持されている料理を組み合わせた献立が登録されている。献立ＤＢ２２に登録されている献立は、夫々が、組み合わせることで栄養バランスに優れた料理の組み合わせとなっている。
【００７０】
献立提示部２３は、利用者からの献立提示要求を受け付けると、献立ＤＢ２２に登録されている献立の中から、料理提示部１８により抽出された料理を含む献立のリストを提示し、表示部１６を介して利用者端末に表示させる。かかる献立のリストにより、利用者は、保存期限が間近の食材を消費するに際して、どのような献立で、どのような料理を作ればよいのかを知ることができる。
【００７１】
このとき、献立提示部２３は、料理提示部１８が保持している前述の料理抽出条件を参照し、特定の利用不可食材を含まない料理、特定の利用推奨食材を含む料理、又は特定の利用不可調理器具を用いることなく調理可能な料理の組み合わせを献立ＤＢから探索し、献立を抽出することができる。
【００７２】
そして、食材管理部１５は、不足リスト表示要求を利用者から受け付けると、献立提示部２３により提示された献立毎に、提示された献立の各料理に必要な食材の食材消費量を、食材管理情報ＤＢ１１に登録されている食材管理情報と比較し、足りない食材がある場合、不足食材とその不足数量を含む不足リストを表示部１６に表示させる。これにより、利用者は、献立を作るに際して、足りない食材を知ることができる。
【００７３】
その後、利用者が足りない食材を購入すると、利用者は、再びその購入時のレシートをスキャナ１９にかざし、購入食材情報を読み取らせる。食材管理情報取得部１３が、購入食材情報から食材管理情報を取り出し、食材管理情報登録部１４が、食材管理情報を食材管理情報ＤＢ１１に追加登録する。
【００７４】
食材管理部１５は、リスト内献立選択要求を利用者端末２１に送信し、献立提示部２３により提示された献立のリストから、何れの献立を選択すべきかを利用者端末に通知し、利用者に選択を促す。そして、利用者端末から選択結果を受信すると、かかる選択結果に基づき、選択された献立に登録された料理の夫々について、各料理で消費する食材とその食材消費量を料理ＤＢ１７から参照し、食材管理情報ＤＢ１１に登録されている当該食材の数量を、保存期限の近いものから順に、当該食材消費量だけ減算する処理を行う。
【００７５】
一方、利用者が、献立提示部２３により提示された献立のリストに挙げられていない献立を献立ＤＢ２２から参照し、選択することもできる。その場合、食材管理部１５は、リスト外献立選択要求を利用者端末から受信し、利用者により選択された献立に登録された料理の夫々について、各料理で消費する食材とその食材消費量を料理ＤＢ１７から参照し、食材管理情報ＤＢ１１に登録されている当該食材の数量を、保存期限の近いものから順に、当該食材消費量だけ減算する処理を行う。
【００７６】
なお、この減算処理にあっては、上述の本発明システム１における料理選択時の処理と同様に、保存状態、開封の有無について、食材管理情報ＤＢ１１の登録情報を適宜変更し、これに伴って食材の保存期限を変更する。
【００７７】
本発明システム２の他の構成については、図１に示す本発明システム１と同様であり、詳細な説明は割愛する。
【００７８】
本発明システム２に依れば、本発明システム１と同様の作用効果を奏するとともに、家庭内に保存されている食材の保存期限を考慮して、保存期限の近い食材を優先的に消費する献立を利用者に提示することで、食材の最適利用を図ることができる。
【００７９】
〈第３実施形態〉
以下に、本発明の一実施形態に係る食材管理システム（以降、適宜「本発明システム３」と称す）につき、図面を参照して説明する。図７は、本発明システム３の構成の一例を示すブロック図である。図７に示すように、本発明システム３は、図１に示す本発明システム１に対し、さらに食材価格ＤＢ（データベース）２４を備えた構成である。食材価格ＤＢ２４は、コンピュータ内に設けられた、或いはネットワークを介してアクセスが可能な所定の記憶装置の所定の記憶領域に構築されている。
【００８０】
食材価格ＤＢ２４は、過去に購入した食材の数量と購入価格、或いは、単位数量当たりの購入価格を保持している。食材情報入力部１２に食材の購入価格を含む購入食材情報が入力されると、食材管理情報取得部１３が、かかる購入食材情報から、食材管理情報とともに食材の購入価格を取得して、食材管理情報登録部１４が、当該食材の購入価格を食材価格ＤＢ２４に登録する。
【００８１】
食材管理部１５は、料理提示部１８が期限間近食材リストの食材を優先的に消費することのできる１以上の料理を抽出し、抽出された料理のリストを生成した後において、利用者からの不足リスト表示要求を受け付けると、料理提示部１８により抽出された各料理に必要な食材の食材消費量を、食材管理情報ＤＢ１１に登録されている食材管理情報と比較し、足りない食材がある場合、不足食材とその不足数量を含む不足リストを表示部１６に表示させる。このとき、食材管理部１５は、かかる不足食材を不足数量分購入する場合の購入費用の総額を食材価格ＤＢ２４を参照して推定し、抽出された料理に加えて、推定された購入費用の総額を表示部１６に表示させる。また、抽出された料理が複数ある場合、推定された購入費用の総額が安い料理順に料理提示部１８により抽出された料理のリストを並び替え、表示部１６に表示させる。
【００８２】
図８に表示部１６に表示される料理リストの例を示す。料理リストに挙げられている各料理をクリックすると、その料理を作るのに必要な食材とその数量、及び料理のレシピが表示されるようになっている。また、各料理の右欄には、その料理を作るのに必要な購入費用の総額の推定額（食材購入費用）が表示されている。食材購入費用の表示部分をクリックすると、不足食材とその数量及び価格の内訳が表示されるようになっている。
【００８３】
これにより、本発明システム３は、保存期限が間近の食材を消費するに際して、どのような料理を作ればよいのか、また、足りない食材を利用者に表示することができる。このとき、不足食材を購入する際の購入費用を利用者に表示することができるので、保存期限が間近の食材を消費することのできる料理候補が複数ある場合に、複数の料理候補のうち何れか一の料理を利用者が選択する際の指針となる。
【００８４】
つまり、利用者にとってみた場合、不足食材の買出しに際してどの程度の予算を必要とするのかを事前に知ることができ、また、その日の予算（懐具合）に併せて料理を選択することができる。
【００８５】
本発明システム３の他の構成については、図１に示す本発明システム１と同様であり、詳細な説明は割愛する。本発明システム３は、上記の説明に加え、本発明システム１と同様の作用効果を奏する。
【００８６】
なお、本発明システム３において、上述の本発明システム２の献立ＤＢ２２、献立提示部２３を更に備える構成としても構わない。
【産業上の利用可能性】
【００８７】
本発明は、保存期限の近い食材を優先的に消費するよう利用者に促して、食材の最適利用を図ることのできる食材管理システムとしての利用が可能である。
【符号の説明】
【００８８】
１〜３：  本発明の一実施形態に係る食材管理システム
１１：  食材管理情報ＤＢ（データベース）
１２：  食材情報入力部
１３：  食材管理情報取得部
１４：  食材管理情報登録部
１５：  食材管理部
１６：  表示部
１７：  料理ＤＢ（データベース）
１８：  料理提示部
１９：  スキャナ
２０：  復号部
２１：  スマートフォン
２２：  献立ＤＢ（データベース）
２３：  献立提示部
２４：  食材価格ＤＢ（データベース）
３０：  購入食材情報が埋め込まれた画像
【図１】
2014174791.tif 000003
【図２】
2014174791.tif 000004
【図３】
2014174791.tif 000005
【図４】
2014174791.tif 000006
【図５】
2014174791.tif 000007
【図６】
2014174791.tif 000008
【図７】
2014174791.tif 000009
【図８】
2014174791.tif 000010